(57)【要約】【課題】  所望の美容効果が得られる人工爪を提供する。【解決手段】  人工の指爪１０は、液体１４を含むように成形されている。本発明によれば、第一層の端は、第二層の端に結合されている。液体部１４が、第一層１１と第二層１２の間にある。液体部１４に含まれる装飾物１３とともに、液体部１４の色及び組成が、所望の美容効果を生じる。【選択図】      図１
2004305694.tif 000002
【特許請求の範囲】
【請求項１】
第一の端を有する第一層と、
前記第一の端と結合する、第二の端を有する第二層と、
前記第一層と前記第二層の間にある液体部とを含む、自然の爪に使用するための人工爪。
【請求項２】
前記第二層を、自然の爪に固定する請求項１に記載の人工爪。
【請求項３】
前記第一層が、透明である請求項１に記載の人工爪。
【請求項４】
前記第一層が、不透明である請求項１に記載の人工爪。
【請求項５】
前記第一層が、着色されている請求項１に記載の人工爪。
【請求項６】
前記第二層が、透明である請求項１に記載の人工爪。
【請求項７】
前記第二層が、不透明である請求項１に記載の人工爪。
【請求項８】
前記第二層が、着色されている請求項１に記載の人工爪。
【請求項９】
接着剤が、前記第一の端と前記第二の端を結合し、前記液体部を封止する請求項１に記載の人工爪。
【請求項１０】
前記第一の端を、前記第二の端に溶かして前記液体部を封止する請求項１に記載の人工爪。
【請求項１１】
前記液体部が、着色されている請求項１に記載の人工爪。
【請求項１２】
前記液体部が、透明である請求項１に記載の人工爪。
【請求項１３】
前記液体部が、不透明である請求項１に記載の人工爪。
【請求項１４】
前記液体部が、グレービィーソース状（ｇｒａｖｙ）物質である請求項１に記載の人工爪。
【請求項１５】
前記液体部が、二以上の液体の組み合わせである請求項１に記載の人工爪。
【請求項１６】
前記液体部が、蛍光物質である請求項１に記載の人工爪。
【請求項１７】
前記液体部が、さらに、装飾物を含む請求項１に記載の人工爪。
【請求項１８】
前記液体部が、さらに、空気を含み、動ける請求項１に記載の人工爪。
【請求項１９】
さらに、液体を含んでいない爪先端部を含む請求項１に記載の人工爪。
【請求項２０】
第一の端を有する第一層と、
前記第一の端が結合する、第二の端を有する第二層と、
前記第一層と前記第二層の間にある装飾物のセットとを含む、自然の爪に使用するための人工爪。
【発明の詳細な説明】
【技術分野】
【０００１】
この発明は、一般に、人工の指の爪及び足の爪に関する。特に、本発明は、所望の美容効果を得るために、液体を含む人工爪に関する。
【背景技術】
【０００２】
人工爪は、自然の指の爪及び足の爪の外観を高めるため、頻繁に使用されている。人工爪は、通常、薄いプラスチック材で、自然の指の爪又は足の爪の上面につけられる。このプラスチック材は、一般には、自然の爪と同様の色を有している。人工爪は、色々な人の自然の爪に合わせるために、多くの形状及び大きさに製造される。
人工爪をつけた後、所望の美容効果を得るために、爪にマニキュア又は接着装飾物を塗布することができる。例えば、人工の指の爪を飾るため、明るい色のマニキュアを使用することができる。さらに、より爪を装飾するために、小さいステッカー又は着色した装飾物をつけることができる。
【０００３】
人工の指の爪及び足の指爪は、二つの考慮すべき問題を提起する。第一に、マニキュア、ペイント又は接着剤のような装飾法を施すためには、かなり面倒な手入れ、技術及び時間が必要である。加えて、人工爪の外表面のみを装飾できるだけであり、美容効果の可能性が制限されている。
従って、一般に必要とされる相当な手入れ、技術及び時間を必要としないで、装飾デザインをすることが可能な人工爪及びその製造方法が求められている。さらに、人工爪には、多様な装飾デザインが求められている。
【０００４】
特許文献１において、キャロルは、上表面に、象眼模様とともに成形した人工の指の爪を開示している。好適な実施形態では、より明るく着色された爪のあま皮（cuticle）と先端部、及び、より濃い色の中央部を有する、フランスの指爪のスタイルに類似するように、この指の爪を着色している。この発明では、指の爪の形状をしたベース部材を、第一の薄色、好ましくは半透明に成形し、第二の濃色、好ましくは不透明な象眼模様を、ベース部材の上面に成形することによって、様々な色の部位を作製し、所望の指爪のスタイルを得ている。ベース部材と象眼模様の間を機械的にロックすることにより、ベース部材へ象眼模様を確実に取り付けている。
【０００５】
キャロルと異なり、本発明は、爪に美容デザインを与える液体層を有する。キャロルは、液体ではない象眼模様を使用し、装飾的な魅力を増している。キャロルは、液体に関連する美容効果を成し得ることはできない。
【特許文献１】米国特許第５，６９９，８１３号明細書
【発明の開示】
【発明が解決しようとする課題】
【０００６】
従って、本発明の第一の目的は、美容デザインが組み込まれた人工爪を提供することである。
本発明の第二の目的は、一層よりも多い層を有する人工爪を提供することである。
本発明の第三の目的は、液体部を有する人工爪を提供することである。
【課題を解決するための手段】
【０００７】
これら及び他の利点を達成するため、及び本発明の目的に鑑み、ここで具体的に広く説明するように、本発明は、液体を含むように成形された人工の指の爪を提供する。本発明によれば、第一層の端部が第二層の端部と結合している。液体部は第一層と第二層の間に位置している。液体部の色及び組成は、液体部の中に置かれた装飾物とともに、所望の美容効果を生じる。
上述した一般的な説明及び以下の詳細な説明は、ともに、単なる例示及び説明であり、特許請求の範囲で請求された本発明を限定するものではない。
【発明の効果】
【０００８】
本発明の人工爪は、液体、気体（空気等）等の流体を含む部分を有するので、装飾デザイン性が向上し、所望の美容効果を得ることができる。また、このような流体と装飾物を組み合わせて美的効果を高めることができる。
【発明を実施するための最良の形態】
【０００９】
図１を参照すると、本発明に従って作製された人工の指爪１０の側面図が示されている。人工爪１０は、上層１２、底層１１及びこれら二層間の間隙部を占める液体部１４により形成されている。
図１において、液体部１４は、プラスチック、紙又は他の材料からなる装飾物１３を含むことができる。装飾物１３には、星型、円型、多角形及びハート型を含む様々な形状が用いられる。
【００１０】
さらに、様々な色、透明度レベル及び粘度の液体部１４を使用できる。透明のレベルは、透明から蛍光、不透明まで変化する。暗闇で発光させるためには蛍光物質を使用する。様々な粘度の液体には、水のような希薄な液体、オイルのような液体及びグレービィーソース（肉汁、ｇｒａｖｙ）のような濃い液体が含まれる。さらに、液体部１４は、液体及び装飾物１３が動くことができるように、空気を含んでいてもよい。それぞれの液体に割り当てられた色とともに、空気と水及び他の液体を組み合わせて、所望の美容効果を生じることができる。
【００１１】
図１に関して、上層１２及び底層１１は、完全に透明な材料又は自然の指爪本来の色に似せた半透明材料から成形してもよい。透明であると、液体部１４を、上層１２を通して見ることができる。上層１２及び底層１１は、人工の指爪の製造に、一般に採用される材料、例えば、ＡＢＳプラスチック、ナイロン又はビニルアセテートを含んでいてもよい。
図１において、上層１２又は底層１１は透明色でもよい。また、上層１２又は底層１１は濃色でもよい。上層１２及び底層１１に、あらゆる色及び透明性を組み合わせることによって、所望の美容効果を生じることができる。
【００１２】
図２を参照すると、図１の実施形態の正面図が示されている。上層１２及び底層１１は、自然の爪の形状を形成しており、自然の爪に適切にフィットすることが可能である。
【００１３】
図３を参照すると、本発明によって組立て、自然の爪に結合させた図１の実施形態の上面図が示されている。上層１２の端部と底層１１の端部は、接着、融着、その他、二端を付着することによって、境界２１に沿って結合している。液体部１４が空気を含む場合は、指２０が動くことによって、液体部１４及び装飾物１３が人工の指爪１０の中を移動する。液体部１４が空気を含まない場合は、液体部１４は、人工の指爪１０の中で動かないが、装飾物１３は液体部１４の中を移動できる。
別の実施形態では、上層１２と底層１１の間に形成される部位は、空気を含み、液体がなくてもよい。装飾物１３があってもよく、上層１２と底層１１を結合することによって形成される空間内を動くことができる。
【００１４】
図４を参照すると、本発明によって組立て、自然の爪に結合させた第二の実施形態の上面図が示されている。この実施形態では、液体部１４は、指２０被覆部だけを占めている。爪先端部３０は、液体を含まない。その代わり、爪先端部３０は、上層１２と底層１１の間に空間がなく固体である。爪先端部３０は、指２０被覆部よりも薄くできる。
図４において、爪先端部３０は、自然の指爪本来の色に似せた半透明材料から成形してもよい。爪先端部３０は、人工の指爪の製造に、一般に採用される材料、例えば、ＡＢＳプラスチック、ナイロン又はビニルアセテートを含んで構成されていてもよい。
【００１５】
本発明の他の実施形態は、明細書の考察及びここで開示された本発明の実施から、当業者に示されるだろう。例えば、本発明は、同様の成功をもって、人工の足の爪に使用できる。明細書及び実施例は、単なる例として考慮されるものであり、本発明の真の範囲及び精神はクレームによって示される。
【産業上の利用可能性】
【００１６】
本発明によれば、液体、空気等の流体を含む部分を有することにより、装飾デザイン性を向上し、所望の美容効果を得られる人工爪を提供できる。
【図面の簡単な説明】
【００１７】
【図１】本発明に従って作製された人工の指の爪の側面図である。
【図２】図１の実施形態の正面図である。
【図３】本発明によって組立て、自然の爪に結合させた図１の実施形態の上面図である。
【図４】本発明によって組立て、自然の爪に結合させた第二の実施形態の上面図である。
【符号の説明】
【００１８】
１０  人工爪
１１  底層
１２  上層
１３  装飾物
１４  液体部
２０  指
２１  境界
３０  爪先端部
【図１】
2004305694.tif 000003
【図２】
2004305694.tif 000004
【図３】
2004305694.tif 000005
【図４】
2004305694.tif 000006